(57)【要約】【課題】アプリケーション（以下、アプリという）のリプレイ動画像を作成する機能を汎用化するとともに、セキュリティを確保し、かつユーザに不快感を与えずに、リプレイ動画像を作成すること。【解決手段】動画像作成システム１は、アプリを実行する端末１００とアプリのリプレイ動画像を作成する動画像作成装置２００とを備える。端末１００は、アプリの実行時に、アプリに関する情報に基づいて、操作履歴を取得するか判断するアプリ判断部１２１と、操作履歴を取得すると判断された場合に、操作履歴を取得する操作履歴取得部１２２と、操作履歴と操作履歴を取得したアプリのアプリ識別情報とを動画像作成装置２００に送信する端末送信部１２４と、を備える。動画像作成装置２００は、取得したアプリ識別情報と操作履歴とに基づいてアプリの処理を再現する再現部２２０と、処理が再現されたアプリの動画像を作成する動画像作成部２３０と、を備える。【選択図】図１
2014106648.tif 000002
【特許請求の範囲】
【請求項１】
アプリケーションを実行する端末と、当該アプリケーションの動画を作成する動画像作成装置とを備えた動画像作成システムであって、
前記端末が、
前記アプリケーションの実行時に、操作履歴を取得するか否かを当該アプリケーションに関する情報に基づいて判断するアプリ判断手段と、
前記アプリ判断手段で前記操作履歴を取得すると判断された場合に、前記アプリケーションの操作履歴を取得する操作履歴取得手段と、
前記操作履歴取得手段で取得した前記操作履歴と当該操作履歴を取得したアプリケーションを識別するアプリ識別情報と、を前記動画像作成装置に送信する送信手段と、
を備え、
前記動画像作成装置が、
前記端末から取得した前記アプリ識別情報と前記操作履歴とに基づいて、前記アプリケーションの処理を再現する再現手段と、
前記再現手段で処理が再現された前記アプリケーションの動画像を作成する動画像作成手段と、
を備えることを特徴とする動画像作成システム。
【請求項２】
前記端末が、
前記アプリケーションの実行開始から所定時間毎に、当該アプリケーションの実行開始からの経過時間に対応付けて、当該アプリケーションにより表示部に表示されている画像のキャプチャ画像を取得するキャプチャ手段と、
前記キャプチャ手段で取得されたキャプチャ画像を前記表示部に表示し、当該表示部に表示されたキャプチャ画像のうちユーザにより選択されたキャプチャ画像に基づいて、動画作成対象時間帯を特定する動画作成対象時間帯特定手段と、
を備え、
前記送信手段が、前記操作履歴および前記アプリ識別情報とともに、前記動画作成対象時間帯特定手段で特定された動画作成対象時間帯を送信し、
前記動画像作成手段が、前記再現手段で処理が再現された前記アプリケーションにおいて、前記端末から受信した前記動画作成対象時間帯に基づいて動画像を作成することを特徴とする請求項１に記載の動画像作成システム。
【請求項３】
前記表示部に表示されたキャプチャ画像がユーザにより選択されない場合、前記操作履歴取得手段で取得した前記操作履歴を削除することを特徴とする請求項２に記載の動画像作成システム。
【請求項４】
前記動画像作成装置が、
前記動画像作成手段で作成された動画像に対し、当該動画像に含める動画像有効区間または当該動画像に含めない動画像無効区間の少なくとも一方を指定する指示をユーザから取得する編集情報取得手段と、
前記編集情報取得手段で取得した前記動画像有効区間または前記動画像無効区間の少なくとも一方を指定する指示に基づいて、前記動画像作成手段で作成された動画像を編集する動画像編集手段と、
を備えることを特徴とする請求項１から請求項３のいずれかに記載の動画像作成システム。
【請求項５】
前記操作履歴取得手段が、前記端末のユーザから動画像作成の開始指示を受け付けてから当該動画像作成の終了指示を受け付けるまでの間、前記操作履歴に作成フラグを付与し、
前記動画像作成手段が、前記再現手段で再現された処理のうち、前記作成フラグが付いている操作履歴に基づく処理について、前記アプリケーションの動画像を作成することを特徴とする請求項１から請求項４のいずれかに記載の動画像作成システム。
【請求項６】
前記操作履歴取得手段が、前記端末のユーザから動画像作成の開始指示を受け付けてから当該動画像作成の終了指示を受け付けるまでの間のうち、当該端末のユーザから当該動画像作成の一時中断指示を受け付けてから当該動画像作成の再開指示を受け付けるまでの間は、前記操作履歴に中断フラグを付与し、
前記動画像作成手段が、前記再現手段で再現された処理のうち、前記中断フラグが付いている操作履歴に基づく処理に対応する動画像を除いて、前記作成フラグが付いている操作履歴に基づく処理に対応する動画像をつなぎ合わせて、前記アプリケーションの動画像を作成することを特徴とする請求項５に記載の動画像作成システム。
【請求項７】
前記送信手段が、前記操作履歴と前記アプリ識別情報と、を前記動画像作成装置に送信したことに応じて、当該操作履歴を削除することを特徴とする請求項１から請求項６のいずれかに記載の動画像作成システム。
【請求項８】
前記端末が、
前記アプリケーションについて、当該アプリケーションが起動されてから前記操作履歴の取得を開始する所定状態にするまでの操作を記憶する初期操作記憶手段と、
前記端末のユーザが選択したアプリケーションを起動するアプリ起動手段と、
起動されたアプリケーションについて、前記初期操作記憶手段から取得した操作に基づいて、前記操作履歴の取得を開始する所定状態にする所定状態生成手段と、
を備える請求項１から請求項７のいずれかに記載の動画像作成システム。
【請求項９】
前記動画像作成装置が、動画像の配信を行う配信サーバに、前記作成された動画像を送信することを特徴とする請求項１から請求項８のいずれかに記載の動画像作成システム。
【請求項１０】
前記端末が、携帯電話機、スマートフォン、またはタブレット端末であることを特徴とする請求項１から請求項９のいずれかに記載の動画像作成システム。
【請求項１１】
搭載されているアプリケーションの動画像を作成する端末であって、
前記アプリケーションの実行時に、操作履歴を取得するか否かを当該アプリケーションに関する情報に基づいて判断するアプリ判断手段と、
前記アプリ判断手段で前記操作履歴を取得すると判断された場合に、前記アプリケーションの操作履歴を取得する操作履歴取得手段と、
前記操作履歴取得手段で取得した操作履歴を、当該操作履歴を取得したアプリケーションを識別するアプリ識別情報と対応付けて記憶する操作履歴記憶手段と、
前記アプリケーションの終了後、操作履歴記憶手段を参照し、前記アプリケーションの処理を再現する再現手段と、
前記再現手段で処理が再現された前記アプリケーションの動画像を作成する動画像作成手段と、
を備えることを特徴とする端末。
【請求項１２】
アプリケーションを実行する端末と、当該アプリケーションの動画を作成する動画像作成装置とを備えた動画像作成システムにおける動画像作成方法であって、
前記端末が、前記アプリケーションの実行時に、操作履歴を取得するか否かを当該アプリケーションに関する情報に基づいて判断する第１のステップと、
前記端末が、前記第１のステップで前記操作履歴を取得すると判断した場合に、前記アプリケーションの操作履歴を取得する第２のステップと、
前記端末が、前記第２のステップで取得した前記操作履歴と当該操作履歴を取得したアプリケーションを識別するアプリ識別情報と、を前記動画像作成装置に送信する第３のステップと、
前記動画像作成装置が、前記端末から取得した前記アプリ識別情報と前記操作履歴とに基づいて、前記アプリケーションの処理を再現する第４のステップと、
前記動画像作成装置が、前記第４のステップで処理が再現された前記アプリケーションの動画像を作成する第５のステップと、
を含むことを特徴とする動画像作成方法。
【請求項１３】
アプリケーションを実行する端末と、当該アプリケーションの動画を作成する動画像作成装置とを備えた動画像作成システムにおける動画像作成方法をコンピュータに実行させるためのプログラムであって、
前記端末が、前記アプリケーションの実行時に、操作履歴を取得するか否かを当該アプリケーションに関する情報に基づいて判断する第１のステップと、
前記端末が、前記第１のステップで前記操作履歴を取得すると判断した場合に、前記アプリケーションの操作履歴を取得する第２のステップと、
前記端末が、前記第２のステップで取得した前記操作履歴と当該操作履歴を取得したアプリケーションを識別するアプリ識別情報と、を前記動画像作成装置に送信する第３のステップと、
前記動画像作成装置が、前記端末から取得した前記アプリ識別情報と前記操作履歴とに基づいて、前記アプリケーションの処理を再現する第４のステップと、
前記動画像作成装置が、前記第４のステップで処理が再現された前記アプリケーションの動画像を作成する第５のステップと、
をコンピュータに実行させるためのプログラム。
【発明の詳細な説明】
【技術分野】
【０００１】
本発明は、アプリケーションについて、任意部分のリプレイ動画像データを作成するリプレイ動画像作成システム、リプレイ動画像作成端末、リプレイ動画像作成方法、およびプログラムに関する。
【背景技術】
【０００２】
特許文献１に記載の技術では、家庭用ゲーム機等における、ゲームの実行状況を再現したリプレイ動画像を、ユーザがゲームをしている様子を撮影した動画像と併せて表示することによって、リプレイ動画像の鑑賞者は、ゲームのリプレイとともに、ユーザがゲームを楽しんでいたり、熱中していたりする様子も併せて楽しむことができる。
【０００３】
特許文献２に記載の技術では、ゲームの操作コードを元にリプレイ動画像を生成するとともに、予め登録されたフレーム番号にひもづくゲーム画面をキャプチャしたサムネイルをリプレイ動画像から生成し、サムネイル画像が対応付けられた動画像を生成することによって、ゲームセンター等の現地に赴かなくとも他のプレーヤのゲームプレイの様子を自端末装置にて気軽に見ることができる。
【先行技術文献】
【特許文献】
【０００４】
【特許文献１】特開２０１０−２１４０２８号公報
【特許文献２】特開２００９−２４７５６３号公報
【発明の概要】
【発明が解決しようとする課題】
【０００５】
ところで、最近、スマートフォンで提供されるアプリケーション（以下、アプリという）の数が増加しており、ユーザのアプリに対する関心が高まっている。関心の高まりとともに、他のユーザのアプリの利用状況を知りたい、あるいは、他のユーザにアプリの利用状況を見せたい、という欲求も増している。一方で、個人ブログ、情報提供サイト、動画像投稿サイト等を利用した情報共有もまた進んでいる。
【０００６】
しかしながら、特許文献１および特許文献２に記載の技術では、ゲームのアプリに搭載された動画像作成機能を実行することによりリプレイ動画像を作成するため、ゲームのアプリに動画像作成機能が搭載されていることが必要であるという問題点があった。そこで、特許文献１および特許文献２に記載の技術において、アプリに搭載されていた動画像作成機能を汎用化することで、様々なアプリのリプレイ動画像を作成することが可能となり、また、アプリ開発の手間を省くことができるようになる。
【０００７】
その一方で、動画像作成機能を汎用化したことで、動画像作成対象のアプリか否かに関わらず、アプリが起動されると、操作履歴といったリプレイ動画像を作成するための情報が動画像作成機能により取得されてしまう。そのため、個人情報やパスワード等が取得されてしまうことによるセキュリティの観点の問題点や、常に操作履歴を取得されているために操作が監視されているといった不快感をユーザが覚えるといった問題点が生じることとなった。また、ユーザは、アプリの全利用状況をリプレイ動画像とするだけでなく、所望の部分のみをリプレイ動画像としたいという要望もあった。
【０００８】
そこで、本発明は、上述の課題に鑑みてなされたものであり、アプリケーションのリプレイ動画像を作成するための機能を汎用化するとともに、セキュリティを確保し、かつユーザに不快感を与えずに、アプリケーションのリプレイ動画像を作成するリプレイ動画像作成システム、リプレイ動画像作成端末、リプレイ動画像作成方法、およびプログラムを提供することを目的とする。また、アプリケーションにおいて、ユーザが所望の部分のリプレイ動画像を作成すること、作成されたリプレイ動画像を他のユーザも閲覧できるようにすることを目的とする。
【課題を解決するための手段】
【０００９】
本発明は、上記の課題を解決するために、以下の事項を提案している。なお、理解を容易にするために、本発明の実施形態に対応する符号を付して説明するが、これに限定されるものではない。
【００１０】
（１）  本発明は、アプリケーションを実行する端末（例えば、図１の端末１００に相当）と、当該アプリケーションの動画を作成する動画像作成装置（例えば、図１の動画像作成装置２００に相当）とを備えた動画像作成システム（例えば、図１の動画像作成システム１に相当）であって、前記端末が、前記アプリケーションの実行時に、操作履歴を取得するか否かを当該アプリケーションに関する情報に基づいて判断するアプリ判断手段（例えば、図１のアプリ判断部１２１に相当）と、前記アプリ判断手段で前記操作履歴を取得すると判断された場合に、前記アプリケーションの操作履歴を取得する操作履歴取得手段（例えば、図１の操作履歴取得部１２２に相当）と、前記操作履歴取得手段で取得した前記操作履歴と当該操作履歴を取得したアプリケーションを識別するアプリ識別情報と、を前記動画像作成装置に送信する送信手段（例えば、図１の端末送信部１２４に相当）と、を備え、前記動画像作成装置が、前記端末から取得した前記アプリ識別情報と前記操作履歴とに基づいて、前記アプリケーションの処理を再現する再現手段（例えば、図１の再現部２２０に相当）と、前記再現手段で処理が再現された前記アプリケーションの動画像を作成する動画像作成手段（例えば、図１の動画像作成部２３０に相当）と、を備えることを特徴とする動画作成システムを提案している。
【００１１】
この発明によれば、アプリ判断手段は、アプリケーションの実行時に、操作履歴を取得するか否かをアプリケーションに関する情報に基づいて判断する。操作履歴取得手段は、アプリ判断手段で操作履歴を取得すると判断された場合に、アプリケーションの操作履歴を取得する。送信手段は、操作履歴取得手段で取得した操作履歴と操作履歴を取得したアプリケーションを識別するアプリ識別情報と、を動画像作成装置に送信する。再現手段は、端末から取得したアプリ識別情報と操作履歴とに基づいて、アプリケーションの処理を再現する。動画像作成手段は、再現手段で処理が再現されたアプリケーションの動画像を作成する。したがって、アプリケーションに関する情報に基づいて、動画像を作成するための操作履歴を取得するアプリケーションを適切に選択することにより、アプリケーションのリプレイ動画像を作成するための機能を汎用化するとともに、セキュリティを確保し、かつ操作が監視されているといった不快感をユーザに与えずに、アプリケーションのリプレイ動画像を作成できる。
【００１２】
（２）  本発明は、（１）の動画像作成システムについて、前記端末が、前記アプリケーションの実行開始から所定時間毎に、当該アプリケーションの実行開始からの経過時間に対応付けて、当該アプリケーションにより表示部に表示されている画像のキャプチャ画像を取得するキャプチャ手段（例えば、図３のキャプチャ部１３５に相当）と、前記キャプチャ手段で取得されたキャプチャ画像を前記表示部に表示し、当該表示部に表示されたキャプチャ画像のうちユーザにより選択されたキャプチャ画像に基づいて、動画作成対象時間帯を特定する動画作成対象時間帯特定手段（例えば、図３の動画作成対象時間帯特定部１３７に相当）と、を備え、前記送信手段が、前記操作履歴および前記アプリ識別情報とともに、前記動画作成対象時間帯特定手段で特定された動画作成対象時間帯を送信し、前記動画像作成手段が、前記再現手段で処理が再現された前記アプリケーションにおいて、前記端末から受信した前記動画作成対象時間帯に基づいて動画像を作成することを特徴とする動画作成システムを提案している。
【００１３】
この発明によれば、キャプチャ手段は、アプリケーションの実行開始から所定時間毎に、アプリケーションの実行開始からの経過時間に対応付けて、アプリケーションにより表示部に表示されている画像のキャプチャ画像を取得する。動画作成対象時間帯特定手段は、キャプチャ手段で取得されたキャプチャ画像を表示部に表示し、表示部に表示されたキャプチャ画像のうちユーザにより選択されたキャプチャ画像に基づいて、動画作成対象時間帯を特定する。送信手段は、操作履歴およびアプリ識別情報とともに、動画作成対象時間帯特定手段で特定された動画作成対象時間帯を送信する。動画像作成手段は、再現手段で処理が再現されたアプリケーションにおいて、端末から受信した動画作成対象時間帯に基づいて動画像を作成する。したがって、ユーザはアプリケーションのキャプチャ画像によってリプレイ動画像を作成したい部分を指定できることにより、ユーザは、容易に、所望の部分のリプレイ動画像を作成することができる。
【００１４】
（３）  本発明は、（２）の動画像作成システムについて、前記表示部に表示されたキャプチャ画像がユーザにより選択されない場合、前記操作履歴取得手段で取得した前記操作履歴を削除することを特徴とする動画像作成システムを提案している。
【００１５】
この発明によれば、表示部に表示されたキャプチャ画像がユーザにより選択されない場合、操作履歴取得手段で取得した操作履歴を削除する。したがって、ユーザはキャプチャ画像を選択しないことにより、リプレイ動画像を作成しないことを指示することができる。また、リプレイ動画像を作成しないことが指示された場合には、操作履歴を削除することにより、セキュリティを確保することができる。
【００１６】
（４）  本発明は、（１）から（３）の動画像作成システムについて、前記動画像作成装置が、前記動画像作成手段で作成された動画像に対し、当該動画像に含める動画像有効区間または当該動画像に含めない動画像無効区間の少なくとも一方を指定する指示をユーザから取得する編集情報取得手段（例えば、図４の編集情報取得部２６２に相当）と、前記編集情報取得手段で取得した前記動画像有効区間または前記動画像無効区間の少なくとも一方を指定する指示に基づいて、前記動画像作成手段で作成された動画像を編集する動画像編集手段（例えば、図４の動画像編集部２７２に相当）と、を備えることを特徴とする動画像作成システムを提案している。
【００１７】
この発明によれば、編集情報取得手段は、動画像作成手段で作成された動画像に対し、動画像に含める動画像有効区間または動画像に含めない動画像無効区間の少なくとも一方を指定する指示をユーザから取得する。動画像編集手段は、編集情報取得手段で取得した動画像有効区間または動画像無効区間の少なくとも一方を指定する指示に基づいて、動画像作成手段で作成された動画像を編集する。したがって、ユーザは、アプリケーションのリプレイを見ながら、リプレイ動画像を作成したい所望の部分を指定することができる。
【００１８】
（５）  本発明は、（１）から（４）の動画像作成システムについて、前記操作履歴取得手段が、前記端末のユーザから動画像作成の開始指示を受け付けてから当該動画像作成の終了指示を受け付けるまでの間、前記操作履歴に作成フラグを付与し、前記動画像作成手段が、前記再現手段で再現された処理のうち、前記作成フラグが付いている操作履歴に基づく処理について、前記アプリケーションの動画像を作成することを特徴とする動画像作成システムを提案している。
【００１９】
この発明によれば、操作履歴取得手段が、端末のユーザから動画像作成の開始指示を受け付けてから動画像作成の終了指示を受け付けるまでの間、操作履歴に作成フラグを付与する。動画像作成手段が、再現手段で再現された処理のうち、作成フラグが付いている操作履歴に基づく処理について、アプリケーションの動画像を作成する。したがって、ユーザは、アプリケーションの実行中にリプレイ動画像を作成する所望の部分を指定することができる。
【００２０】
（６）  本発明は、（５）の動画像作成システムについて、前記操作履歴取得手段が、前記端末のユーザから動画像作成の開始指示を受け付けてから当該動画像作成の終了指示を受け付けるまでの間のうち、当該端末のユーザから当該動画像作成の一時中断指示を受け付けてから当該動画像作成の再開指示を受け付けるまでの間は、前記操作履歴に中断フラグを付与し、前記動画像作成手段が、前記再現手段で再現された処理のうち、前記中断フラグが付いている操作履歴に基づく処理に対応する動画像を除いて、前記作成フラグが付いている操作履歴に基づく処理に対応する動画像をつなぎ合わせて、前記アプリケーションの動画像を作成することを特徴とする動画像作成システムを提案している。
【００２１】
この発明によれば、操作履歴取得手段が、端末のユーザから動画像作成の開始指示を受け付けてから動画像作成の終了指示を受け付けるまでの間のうち、端末のユーザから動画像作成の一時中断指示を受け付けてから動画像作成の再開指示を受け付けるまでの間は、操作履歴に中断フラグを付与する。動画像作成手段が、再現手段で再現された処理のうち、中断フラグが付いている操作履歴に基づく処理に対応する動画像を除いて、作成フラグが付いている操作履歴に基づく処理に対応する動画像をつなぎ合わせて、アプリケーションの動画像を作成する。したがって、ユーザは、アプリケーションの実行中に、リプレイ動画像とする部分と除外する部分とを指定できることにより、容易に、所望の部分のリプレイ動画像を作成することができる。
【００２２】
（７）  本発明は、（１）から（６）の動画像作成システムについて、前記送信手段が、前記操作履歴と前記アプリ識別情報と、を前記動画像作成装置に送信したことに応じて、当該操作履歴を削除することを特徴とする動画像作成システムを提案している。
【００２３】
この発明によれば、送信手段が、操作履歴とアプリ識別情報と、を動画像作成装置に送信したことに応じて、操作履歴を削除する。したがって、操作履歴は、動画像作成装置に送信した後に端末から削除されることにより、セキュリティを確保することができる。
【００２４】
（８）  本発明は、（１）から（７）の動画像作成システムについて、前記端末が、前記アプリケーションについて、当該アプリケーションが起動されてから前記操作履歴の取得を開始する所定状態にするまでの操作を記憶する初期操作記憶手段（例えば、図５の初期操作記憶部１４２に相当）と、前記端末のユーザが選択したアプリケーションを起動するアプリ起動手段（例えば、図５のアプリ起動部１４１に相当）と、起動されたアプリケーションについて、前記初期操作記憶手段から取得した操作に基づいて、前記操作履歴の取得を開始する所定状態にする所定状態生成手段（例えば、図５の所定状態生成部１４３に相当）と、を備える動画像作成システムを提案している。
【００２５】
この発明によれば、初期操作記憶手段は、アプリケーションについて、アプリケーションが起動されてから操作履歴の取得を開始する所定状態にするまでの操作を記憶する。アプリ起動手段は、端末のユーザが選択したアプリケーションを起動する。所定状態生成手段は、起動されたアプリケーションについて、初期操作記憶手段から取得した操作に基づいて、操作履歴の取得を開始する所定状態にする。したがって、予め用意されている操作によりリプレイ動画作成開始位置までアプリケーションを進めることによって、各ユーザのリプレイ動画の開始位置を同一にすることができる。
【００２６】
（９）  本発明は、（１）から（８）の動画像作成システムについて、前記動画像作成装置が、動画像の配信を行う配信サーバ（例えば、図５の配信サーバ３００に相当）に、前記作成された動画像を送信することを特徴とする動画像作成システムを提案している。
【００２７】
この発明によれば、動画像作成装置が、動画像の配信を行う配信サーバに、作成された動画像を送信する。したがって、配信サーバを利用して、作成したリプレイ動画像を他のユーザも閲覧できるようにすることができる。
【００２８】
（１０）  本発明は、（１）から（９）の動画像作成システムについて、前記端末が、携帯電話機、スマートフォン、またはタブレット端末であることを特徴とする動画像作成システムを提案している。
【００２９】
この発明によれば、端末が、携帯電話機、スマートフォン、またはタブレット端末である。
【００３０】
（１１）  本発明は、搭載されているアプリケーションの動画像を作成する端末であって、前記アプリケーションの実行時に、操作履歴を取得するか否かを当該アプリケーションに関する情報に基づいて判断するアプリ判断手段と、前記アプリ判断手段で前記操作履歴を取得すると判断された場合に、前記アプリケーションの操作履歴を取得する操作履歴取得手段と、前記操作履歴取得手段で取得した操作履歴を、当該操作履歴を取得したアプリケーションを識別するアプリ識別情報と対応付けて記憶する操作履歴記憶手段と、前記アプリケーションの終了後、前記操作履歴記憶手段を参照し、前記アプリケーションの処理を再現する再現手段と、前記再現手段で処理が再現された前記アプリケーションの動画像を作成する動画像作成手段と、を備えることを特徴とする端末を提案している。
【００３１】
この発明によれば、アプリ判断手段は、アプリケーションの実行時に、操作履歴を取得するか否かをアプリケーションに関する情報に基づいて判断する。操作履歴取得手段は、アプリ判断手段で操作履歴を取得すると判断された場合に、アプリケーションの操作履歴を取得する。操作履歴記憶手段は、操作履歴取得手段で取得した操作履歴を、操作履歴を取得したアプリケーションを識別するアプリ識別情報と対応付けて記憶する。再現手段は、アプリケーションの終了後、操作履歴記憶手段を参照し、アプリケーションの処理を再現する。動画像作成手段は、再現手段で処理が再現されたアプリケーションの動画像を作成する。したがって、アプリケーションに関する情報に基づいて、動画像を作成するための操作履歴を取得するアプリケーションを適切に選択することにより、アプリケーションのリプレイ動画像を作成するための機能を汎用化するとともに、セキュリティを確保し、かつ操作が監視されているといった不快感をユーザに与えずに、アプリケーションのリプレイ動画像を作成できる。
【００３２】
（１２）  本発明は、アプリケーションを実行する端末と、当該アプリケーションの動画を作成する動画像作成装置とを備えた動画像作成システムにおける動画像作成方法であって、前記端末が、前記アプリケーションの実行時に、操作履歴を取得するか否かを当該アプリケーションに関する情報に基づいて判断する第１のステップ（例えば、図２のステップＳ１に相当）と、前記端末が、前記第１のステップで前記操作履歴を取得すると判断した場合に、前記アプリケーションの操作履歴を取得する第２のステップ（例えば、図２のステップＳ２に相当）と、前記端末が、前記第２のステップで取得した前記操作履歴と当該操作履歴を取得したアプリケーションを識別するアプリ識別情報と、を前記動画像作成装置に送信する第３のステップ（例えば、図２のステップＳ３に相当）と、前記動画像作成装置が、前記端末から取得した前記アプリ識別情報と前記操作履歴とに基づいて、前記アプリケーションの処理を再現する第４のステップ（例えば、図２のステップＳ４に相当）と、前記動画像作成装置が、前記第４のステップで処理が再現された前記アプリケーションの動画像を作成する第５のステップ（例えば、図２のステップＳ５に相当）と、を含むことを特徴とする動画像作成方法を提案している。
【００３３】
この発明によれば、まず、第１のステップにおいて、端末が、アプリケーションの実行時に、操作履歴を取得するか否かをアプリケーションに関する情報に基づいて判断する。次に、第２のステップにおいて、端末が、第１のステップで操作履歴を取得すると判断した場合に、アプリケーションの操作履歴を取得する。次に、第３のステップにおいて、端末が、第２のステップで取得した操作履歴と操作履歴を取得したアプリケーションを識別するアプリ識別情報と、を動画像作成装置に送信する。次に、第４のステップにおいて、動画像作成装置が、端末から取得したアプリ識別情報と操作履歴とに基づいて、アプリケーションの処理を再現する。次に、第５のステップにおいて、動画像作成装置が、第４のステップで処理が再現されたアプリケーションの動画像を作成する。したがって、アプリケーションに関する情報に基づいて、動画像を作成するための操作履歴を取得するアプリケーションを適切に選択することにより、アプリケーションのリプレイ動画像を作成するための機能を汎用化するとともに、セキュリティを確保し、かつユーザに監視されているといった不快感を与えずに、動作中のアプリケーションのリプレイ動画像を作成できる。
【００３４】
（１３）  本発明は、アプリケーションを実行する端末と、当該アプリケーションの動画を作成する動画像作成装置とを備えた動画像作成システムにおける動画像作成方法をコンピュータに実行させるためのプログラムであって、前記端末が、前記アプリケーションの実行時に、操作履歴を取得するか否かを当該アプリケーションに関する情報に基づいて判断する第１のステップ（例えば、図２のステップＳ１に相当）と、前記端末が、前記第１のステップで前記操作履歴を取得すると判断した場合に、前記アプリケーションの操作履歴を取得する第２のステップ（例えば、図２のステップＳ２に相当）と、前記端末が、前記第２のステップで取得した前記操作履歴と当該操作履歴を取得したアプリケーションを識別するアプリ識別情報と、を前記動画像作成装置に送信する第３のステップ（例えば、図２のステップＳ３に相当）と、前記動画像作成装置が、前記端末から取得した前記アプリ識別情報と前記操作履歴とに基づいて、前記アプリケーションの処理を再現する第４のステップ（例えば、図２のステップＳ４に相当）と、前記動画像作成装置が、前記第４のステップで処理が再現された前記アプリケーションの動画像を作成する第５のステップ（例えば、図２のステップＳ５に相当）と、をコンピュータに実行させるためのプログラムを提案している。
【００３５】
この発明によれば、まず、第１のステップにおいて、端末が、アプリケーションの実行時に、操作履歴を取得するか否かをアプリケーションに関する情報に基づいて判断する。次に、第２のステップにおいて、端末が、第１のステップで操作履歴を取得すると判断した場合に、アプリケーションの操作履歴を取得する。次に、第３のステップにおいて、端末が、第２のステップで取得した操作履歴と操作履歴を取得したアプリケーションを識別するアプリ識別情報と、を動画像作成装置に送信する。次に、第４のステップにおいて、動画像作成装置が、端末から取得したアプリ識別情報と操作履歴とに基づいて、アプリケーションの処理を再現する。次に、第５のステップにおいて、動画像作成装置が、第４のステップで処理が再現されたアプリケーションの動画像を作成する。したがって、アプリケーションに関する情報に基づいて、動画像を作成するための操作履歴を取得するアプリケーションを適切に選択することにより、アプリケーションのリプレイ動画像を作成するための機能を汎用化するとともに、セキュリティを確保し、かつユーザに監視されているといった不快感を与えずに、動作中のアプリケーションのリプレイ動画像を作成できる。
【発明の効果】
【００３６】
本発明によれば、アプリケーションのリプレイ動画像を作成するための機能を汎用化するとともに、セキュリティを確保し、かつユーザに不快感を与えずに、アプリケーションのリプレイ動画像を作成することができる。また、アプリケーションにおいて、ユーザの所望の部分のリプレイ動画像を作成することができる。更に、作成されたリプレイ動画像を他のユーザも閲覧できるようにすることもできる。
【図面の簡単な説明】
【００３７】
【図１】本発明の第１の実施形態に係るリプレイ動画像作成システムの機能構成を示す図である。
【図２】本発明の第１の実施形態に係るリプレイ動画像作成システムにおけるリプレイ動画像作成処理を示すフロー図である。
【図３】本発明の第２の実施形態に係るリプレイ動画像作成システムの機能構成を示す図である。
【図４】本発明の第３の実施形態に係るリプレイ動画像作成システムの機能構成を示す図である。
【図５】本発明の第４の実施形態に係るリプレイ動画像作成システムの機能構成を示す図である。
【発明を実施するための形態】
【００３８】
以下、図面を用いて、本発明の実施形態について詳細に説明する。なお、本実施形態における構成要素は適宜、既存の構成要素等との置き換えが可能であり、また、他の既存の構成要素との組み合わせを含む様々なバリエーションが可能である。したがって、本実施形態の記載をもって、特許請求の範囲に記載された発明の内容を限定するものではない。
【００３９】
＜第１の実施形態＞
＜リプレイ動画像作成システム＞
図１は、本発明の第１の実施形態に係るリプレイ動画像作成システム１の機能構成を示す図である。図１に示すように、本実施形態に係るリプレイ動画像作成システム１は、端末１００と動画像作成装置２００とがネットワークを介して接続されている。ここで、端末１００は、情報処理装置であればよく、例えば、スマートフォン、携帯電話機、タブレット端末、携帯型ゲーム機等が挙げられる。
【００４０】
端末１００は、アプリケーション（以下、アプリという）１１０と動画像作成アプリ１２０とを備える。本実施形態において、従来、アプリ１１０に備えられていた、リプレイ動画像を作成するための情報を取得する機能を、アプリ１１０とは別の動画像作成アプリ１２０が備えることにより、動画像作成機能を汎用化している。
【００４１】
アプリ１１０は、端末１００にインストールされているオフラインで実行されるアプリであって、セーブデータを利用せず常に最初から始めるタイプのアプリである。アプリ１１０は、例えば、アクション系のアプリやパズル系のアプリ等である。
【００４２】
動画像作成アプリ１２０は、アプリ判断部１２１、操作履歴取得部１２２、および端末送信部１２４から構成される。
【００４３】
アプリ判断部１２１は、アプリ１１０が起動された際に、起動されたアプリ１１０が操作履歴を取得する対象のアプリであるか否か判断する。具体的には、アプリのアクセス対象、アプリの種別、アプリ提供者、ユーザがアプリ１１０に対して設定した操作履歴を取得するか否かの情報等に基づいて、操作履歴を取得するか否かを判断する。ここで、アプリのアクセス対象とは、電話帳といった個人情報、ネットワーク通信機能、ハードウェア等である。また、アプリの種別とは、オフラインゲーム、オンラインゲーム、書籍、コミュニケーションツール、地図等である。
【００４４】
例えば、アプリのアクセス対象が個人情報の場合や、アプリ提供者が有害アプリの提供者として予め設定されている場合や、アプリの種別がコミュニケーションツールの場合に、アプリ判断部１２１が操作履歴を取得しないようにすることができる。このように、ネットワークと通信を行うアプリや、個人情報にアクセスするアプリといった個人情報が漏えいする恐れのあるアプリについては、操作履歴を取得しないようにすることで、セキュリティを確保することができる。また、ユーザが、操作履歴を取得するアプリを設定したり、上述したように個人情報が漏えいする恐れのあるアプリを操作履歴を取得する対象から外したりすることで、操作を監視されているといった不快感をユーザが与えずに操作履歴を取得することができる。
【００４５】
操作履歴取得部１２２は、アプリ判断部１２１で、起動されたアプリ１１０が操作履歴を取得する対象のアプリであると判断された場合に、アプリ１１０の操作履歴を取得する。例えば、操作履歴取得部１２２は、キーロガーであって、キー操作、タッチ操作、端末の特定面の方位、端末の傾き、または端末の加速度等の端末へのユーザの操作を操作履歴として取得する。そして、操作履歴取得部１２２は、取得した操作履歴を操作履歴一時記憶部１２３に一時記憶する。操作履歴取得部１２２は、端末送信部１２４から操作履歴が動画像作成装置２００へ送信されたことに応じて、または、一定時間を経過したことに応じて、操作履歴一時記憶部１２３に記憶された操作履歴を削除する。
【００４６】
また、動画像作成アプリ１２０に、ユーザがリプレイ動画像を作成する部分を指定することができる機能が備えられている場合には、アプリ１１０が実行されている間、ユーザは、リプレイ動画像の作成開始指示、およびリプレイ動画像の作成終了指示を行うことができる。操作履歴取得部１２２は、ユーザからリプレイ動画像の作成開始指示を受け付けてから、リプレイ動画像の作成終了指示を受け付けるまでの間の操作履歴に、作成フラグを付与する。そして、操作履歴取得部１２２は、操作履歴一時記憶部１２３に、作成フラグとともに操作履歴を記憶する。ここで、作成フラグとは、リプレイ動画像を作成するために使用する操作履歴であることを示すフラグである。
【００４７】
更に、動画像作成アプリ１２０に、ユーザがリプレイ動画像を作成する部分を指定することができる機能が備えられている場合には、リプレイ動画像の作成開始指示後、リプレイ動画像の作成終了指示までの間に、ユーザはリプレイ動画像の作成一時中断指示を行うことができる。操作履歴取得部１２２は、作成一時中断指示から再開指示を受け付けるまでの間の操作履歴に中断フラグを付与する。そして、操作履歴取得部１２２は、操作履歴一時記憶部１２３に、中断フラグが付与された操作履歴を記憶する。ここで、中断フラグとは、リプレイ動画像から除く操作履歴であることを示すフラグである。
【００４８】
端末送信部１２４は、操作履歴一時記憶部１２３に記憶されている１以上の操作履歴（以下、操作履歴群という）を、操作履歴を取得したアプリ１１０を識別するアプリ識別情報とともに、動画像作成装置２００に送信する。ここで、アプリ識別情報は、アプリを一意に識別する情報であって、アプリ１１０から取得する。具体的には、端末送信部１２４は、アプリ１１０が終了したことに応じて、またはアプリ１１０に一定時間操作がなされなかったことに応じて、操作履歴群とアプリ識別情報とを動画像作成装置２００に送信する。更に、ユーザがリプレイ動画像を作成する部分を指定することができる機能が備えられている場合では、リプレイ動画像の作成終了指示を受け付けたことに応じて、操作履歴群とアプリ識別情報とを動画像作成装置２００に送信する。
【００４９】
次に、動画像作成装置２００は、アプリ２１０、再現部２２０、および動画像作成部２３０から構成される。
【００５０】
再現部２２０は、まず、端末１００から取得したアプリ識別情報に基づいて特定したアプリ２１０を起動する。アプリ識別情報に基づいて特定したアプリ２１０が動画像作成装置２００にインストールされていない場合には、ネットワークを介して取得する。また、動画像作成装置２００がアプリ２１０を起動できない場合には、アプリ２１０を起動するためのエミュレータをネットワークを介して取得してもよいし、アプリ２１０を実行可能な他の端末と接続することによってアプリ２１０を起動できるようにしてもよい。そして、再現部２２０は、起動したアプリ２１０に対し、端末１００から取得した操作履歴群を入力し、端末１００で実行されたアプリ内容を再現する。なお、再現部２２０は、端末１００のＯＳの情報や通信環境、同時に起動しているアプリの情報等といった端末環境の情報を取得し、端末環境を再現した上で、端末１００で実行されたアプリ内容を再現することもできる。
【００５１】
動画像作成部２３０は、再現部２２０で再現されたアプリ内容を録画し、リプレイ動画像を作成する。動画像作成部２３０は、端末１００から取得した操作履歴群に作成フラグが付与された操作履歴が含まれている場合には、作成フラグが付与されている操作履歴に対応するアプリ内容を録画し、リプレイ動画像を作成する。また、動画像作成部２３０は、端末１００から取得した操作履歴群に中断フラグが付与された操作履歴が含まれている場合には、中断フラグが付与されている操作履歴に対応するアプリ内容はリプレイ動画像から除く。
【００５２】
＜リプレイ動画像作成処理フロー＞
図２は、本発明の第１の実施形態に係るリプレイ動画像作成システム１におけるリプレイ動画像作成処理を示すフロー図である。本処理は、アプリ１１０が起動されたことに応じて、開始する。
【００５３】
まず、ステップＳ１において、アプリ判断部１２１は、起動されたアプリ１１０が操作履歴を取得する対象のアプリであるか否か判断する。操作履歴を取得する対象のアプリであると判断した場合（ＹＥＳ）には、ステップＳ２へ処理を進め、一方、操作履歴を取得する対象のアプリでないと判断した場合（ＮＯ）には、処理を終了する。
【００５４】
次に、ステップＳ２において、操作履歴取得部１２２は、アプリ１１０の操作履歴を取得し、操作履歴一時記憶部１２３に一時記憶する。
【００５５】
次に、ステップＳ３において、端末送信部１２４は、ステップＳ２で操作履歴一時記憶部１２３に記憶された操作履歴群を、操作履歴を取得したアプリ１１０を識別するアプリ識別情報とともに、動画像作成装置２００に送信する。
【００５６】
次に、ステップＳ４において、再現部２２０は、端末１００から取得したアプリ識別情報に基づいて特定したアプリ１１０を起動し、起動したアプリ１１０に端末１００から取得した操作履歴群を入力し、端末１００で実行されたアプリ内容を再現する。
【００５７】
次に、ステップＳ５において、動画像作成部２３０は、ステップＳ４で再現されたアプリ内容を録画し、リプレイ動画像を作成する。
【００５８】
なお、本実施形態において、動画像作成システム１としているが、端末１００に動画像作成装置２００の機能を備えさせて端末１００にて、端末１００にて動画像を作成できるようにしてもよい。
【００５９】
以上説明したように、本実施形態によれば、アプリに関する情報に基づいて、動画像を作成するための操作履歴を取得するアプリを適切に選択することにより、アプリのリプレイ動画像を作成するための機能を汎用化するとともに、セキュリティを確保し、かつユーザに監視されているといった不快感を与えずに、アプリのリプレイ動画像を作成することができる。また、ユーザは、アプリの実行中に、リプレイ動画とする部分と除外する部分とを指定できることにより、容易に、所望の部分のリプレイ動画像を作成することができる。
【００６０】
＜第２の実施形態＞
図３を用いて、本発明の第２の実施形態について説明する。なお、本実施形態におけるリプレイ動画像作成システムは、操作履歴を取得したアプリにおいてリプレイ動画像を作成する部分を、ユーザがアプリのキャプチャから指定することができる。なお、第１の実施形態と同一の符号を付す構成要素については、同一の機能を有することから、その詳細な説明は省略する。
【００６１】
＜リプレイ動画像作成システム＞
図３は、本発明の第２の実施形態に係るリプレイ動画像作成システム２の機能構成を示す図である。図３に示すように、本実施形態に係るリプレイ動画像作成システム１は、端末１０１と動画像作成装置２０１とがネットワークを介して接続されている。ここで、端末１０１は、情報処理装置であればよく、例えば、スマートフォン、携帯電話機、タブレット端末、携帯型ゲーム機が挙げられる。
【００６２】
端末１０１は、アプリ１１０、動画像作成アプリ１３０、液晶ディスプレイといった表示部１７０、ボタンやキーボードといった入力部１８０から構成される。動画像作成アプリ１３０は、アプリ判断部１２１、操作履歴取得部１２２、キャプチャ部１３５、動画作成対象時間帯特定部１３７、および端末送信部１３８から構成される。
【００６３】
キャプチャ部１３５は、アプリ判断部１２１で、起動されたアプリ１１０が操作履歴を取得する対象のアプリであると判断された場合に、アプリの実行開始から所定時間毎に、アプリの実行開始からの経過時間に対応付けて、アプリ１１０により表示部１７０に表示されている画像のキャプチャ画像を取得する。例えば、キャプチャ部１３５は、２０秒毎にキャプチャを取得すると設定されている場合には、アプリ開始から、０秒、２０秒、４０秒・・・とアプリ１１０が終了するまでキャプチャを取得する。そして、キャプチャ部１３５は、取得したキャプチャ画像をキャプチャ一時記憶部１３６に一時記憶する。
【００６４】
キャプチャ部１３５は、キャプチャ一時記憶部１３６に記憶されたキャプチャ画像を、端末送信部１３８から操作履歴群が動画像作成装置２００へ送信されたことに応じて、表示部１７０に表示されたキャプチャ画像がユーザにて選択されなかったことに応じて、または、一定時間を経過したことに応じて、キャプチャ一時記憶部１３６に記憶されたキャプチャ画像を削除する。
【００６５】
動画作成対象時間帯特定部１３７は、アプリ１１０が終了したことに応じて、キャプチャ一時記憶部１３６からキャプチャ画像を取得し、表示部１７０に表示する。そして、表示部１７０に表示されたキャプチャ画像の中からユーザが選択したキャプチャ画像を入力部１８０を介して取得し、取得したキャプチャ画像から動画作成対象時間帯を特定する。
【００６６】
表示部１７０にＣａｐ１、Ｃａｐ２、Ｃａｐ３、Ｃａｐ４、Ｃａｐ５の５つのキャプチャが表示されている場合を例に、動画作成対象時間帯特定部１３７における動画作成対象時間帯の特定方法の一例について説明する。Ｃａｐ１はアプリ開始から０秒、Ｃａｐ２はアプリ開始から３０秒、Ｃａｐ３はアプリ開始から６０秒、Ｃａｐ４はアプリ開始から９０秒、Ｃａｐ５はアプリ開始から１２０秒の時のキャプチャ画像とする。
【００６７】
ユーザがＣａｐ１とＣａｐ２とを選択した場合には、Ｃａｐ１からＣａｐ２の終わりまでが動画作成対象として選択されたとして、開始０秒から５９秒までを動画作成対象時間帯として特定する。また、ユーザがＣａｐ３のみを選択した場合には、Ｃａｐ３の初めから終わりまでが動画作成対象として選択されたとして、６０秒から８９秒までを動画作成対象時間帯として特定する。更に、Ｃａｐ１、Ｃａｐ２、Ｃａｐ３の３つが選択された場合には、それぞれの開始から終わりまでの時間を繋ぎ合わせた０秒から８９秒までを動画作成対象時間帯を特定する。
【００６８】
端末送信部１３８は、操作履歴一時記憶部１２３に記憶されている操作履歴群およびアプリ識別情報とともに、動画作成対象時間帯特定部１３７で特定された動画作成対象時間帯を、動画像作成装置２０１に送信する。
【００６９】
次に、動画像作成装置２０１は、アプリ２１０、再現部２２０、および動画像作成部２３１から構成される。
【００７０】
動画像作成部２３１は、再現部２２０で再現されたアプリ内容のうち、端末１０１から取得した動画作成対象時間帯に対応するアプリ内容を録画し、リプレイ動画像を作成する。
【００７１】
以上説明したように、本実施形態によれば、ユーザは、アプリのキャプチャ画像によってリプレイ動画像を作成したい部分を指定できることにより、容易に、所望の部分のリプレイ動画像を作成することができる。
【００７２】
＜第３の実施形態＞
図４を用いて、本発明の第３の実施形態について説明する。なお、本実施形態におけるリプレイ動画像作成システムは、作成されたリプレイ動画像を編集することができる。なお、第１の実施形態と同一の符号を付す構成要素については、同一の機能を有することから、その詳細な説明は省略する。
【００７３】
＜リプレイ動画像作成システム＞
図４は、本発明の第３の実施形態に係るリプレイ動画像作成システム３の機能構成を示す図である。図４に示すように、本実施形態に係るリプレイ動画像作成システム３は、端末１００と動画像作成装置２０２とがネットワークを介して接続されている。
【００７４】
動画像作成装置２０２は、アプリ２１０、再現部２２０、動画像作成部２３２、液晶ディスプレイといった表示部２４２、ボタンやキーボードといった入力部２５２、編集情報取得部２６２、および動画像編集部２７２から構成される。
【００７５】
動画像作成部２３２は、再現部２２０で再現されたアプリ内容を録画し、リプレイ動画像を作成する。そして、動画像作成部２３２は、作成したリプレイ動画像を表示部２４２に表示させる。
【００７６】
編集情報取得部２６２は、表示部２４２に表示されたリプレイ動画像に対してユーザからなされた、リプレイ動画像の中からリプレイ動画像に含める動画有効区間またはリプレイ動画像に含めない動画無効区間の少なくとも一方を指定する指示を取得する。例えば、編集情報取得部２６２は、表示部２４２に表示されているリプレイ動画に対する録画開始、録画終了、録画一時中断の指示をユーザから受ける。そして、編集情報取得部２６２は、ユーザから受け付けた録画開始、録画終了、録画一時中断の指示に基づいて、リプレイ動画について動画有効区間および動画無効区間の少なくとも一方を設定する。具体的には、録画開始から録画終了の指示までを動画有効区間、録画開始から録画終了の指示までの間に録画一時中断指示を受け付けた場合には、録画一時中断指示を受け付けた部分を動画無効区間とする。
【００７７】
動画像編集部２７２は、編集情報取得部２６２で設定された動画有効区間および動画無効区間の少なくとも一方に基づいて、動画像作成部２３２で作成されたリプレイ動画像を編集する。
【００７８】
以上説明したように、本実施形態によれば、ユーザは、アプリのリプレイ動画像を見ながら、リプレイ動画像として含める部分やリプレイ動画像として含めない部分を指定することができ、容易に所望の部分をリプレイ動画像とすることができる。
【００７９】
＜第４の実施形態＞
図５を用いて、本発明の第４の実施形態について説明する。なお、本実施形態におけるリプレイ動画像作成システムは、自動的にリプレイ動画像作成開始状態にアプリをすること、および作成したリプレイ画像をネットワークを介して提供することができる。なお、第１の実施形態と同一の符号を付す構成要素については、同一の機能を有することから、その詳細な説明は省略する。
【００８０】
＜リプレイ動画像作成システム＞
図５は、本発明の第４の実施形態に係るリプレイ動画像作成システム４の機能構成を示す図である。図５に示すように、本実施形態に係るリプレイ動画像作成システム４は、端末１０２と動画像作成装置２０３、動画像作成装置２０３と配信サーバ３００とがネットワークを介して接続されている。
【００８１】
端末１０２は、アプリ１１０、動画像作成アプリ１２０、および入力部１９０から構成される。動画像作成アプリ１２０は、アプリ起動部１４１、初期操作記憶部１４２、所定状態生成部１４３、アプリ判断部１２１、操作履歴取得部１２２、および端末送信部１２４から構成される。
【００８２】
アプリ起動部１４１は、ユーザからアプリ１１０の起動指示を入力部１９０を介して取得し、アプリ１１０を起動する。
【００８３】
初期操作記憶部１４２は，アプリ１１０について、アプリ１１０が起動されてから操作履歴取得部１２２で操作履歴の取得を開始する所定状態にするまでの操作を記憶する。初期操作記憶部１４２に記憶される操作は、ユーザが以前に端末１０２でアプリ１１０を実行した際に取得された操作や、他のユーザが行ったアプリ１１０の操作や、アプリ提供者が提供している操作等である。なお、他のユーザが行ったアプリ１１０の操作や、アプリ提供者が提供している操作の場合には、ネットワークを介して取得され、初期操作記憶部１４２に記憶される。
【００８４】
所定状態生成部１４３は、起動されたアプリ１１０を、初期操作記憶部１４２から取得した操作に基づいて、アプリ１１０を操作履歴の取得を開始する所定状態にする。
【００８５】
なお、本実施形態において、アプリ判断部１２１は、所定状態生成部１４３にてアプリ１１０を所定状態にした後に、操作履歴を取得するか否かの判断を行うが、ユーザからアプリ１１０の起動指示を入力部１９０を介して取得した後、アプリ起動前に、操作履歴を取得するか否かの判断を行ってもよい。
【００８６】
次に、動画像作成装置２０３は、アプリ２１０、再現部２２０、動画像作成部２３０、および動画像作成装置送信部２８３から構成される。
【００８７】
動画像作成装置送信部２８３は、動画像作成部２３０で作成されたリプレイ動画像を配信サーバ３００に送信する。
【００８８】
配信サーバ３００は、動画像作成装置２０３から受信したリプレイ動画像を蓄積し、ネットワークを介して、複数のユーザに提供する。本実施形態において、配信サーバ３００は１台の動画像作成装置２００と接続されているが、複数台であってもよい。また、動画像作成装置送信部２８３および配信サーバ３００は、上述した第１から第３の実施形態においても備えることもできる。
【００８９】
以上説明したように、本実施形態によれば、予め用意されている操作によりリプレイ動画像の作成開始位置までアプリを進めることによって、各ユーザのリプレイ動画像の開始位置を同一にすることができる。また、配信サーバを介して、他のユーザにリプレイ動画像を提供することができる。
【００９０】
なお、リプレイ動画像作成システムの処理をコンピュータ読み取り可能な記録媒体に記録し、この記録媒体に記録されたプログラムを機器に読み込ませ、実行することによって本発明のリプレイ動画像作成システムを実現することができる。ここでいうコンピュータシステムとは、ＯＳや周辺装置等のハードウェアを含む。
【００９１】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
【００９２】
また、上記プログラムは、前述した機能の一部を実現するためのものであってもよい。更に、前述した機能をコンピュータシステムにすでに記録されているプログラムとの組み合わせで実現できるもの、いわゆる差分ファイル（差分プログラム）であってもよい。
【００９３】
以上、この発明の実施形態につき、図面を参照して詳述してきたが、具体的な構成はこの実施形態に限られるものではなく、この発明の要旨を逸脱しない範囲の設計等も含まれる。
【符号の説明】
【００９４】
１      動画像作成システム
１００  端末
１１０  アプリ
１２０  動画像作成アプリ
１２１  アプリ判断部
１２２  操作履歴取得部
１２３  操作履歴一時記憶部
１２４  端末送信部
２００  動画像作成装置
２１０  アプリ
２２０  再現部
２３０  動画像作成部
【図１】
2014106648.tif 000003
【図２】
2014106648.tif 000004
【図３】
2014106648.tif 000005
【図４】
2014106648.tif 000006
【図５】
2014106648.tif 000007